(57)【要約】【課題】嵌めこまれるガス置き台に燃焼用空気孔の工事を必要としないとともに、煮こぼれ液の掃除性を良くする嵌め込み式ガス調理器に関する。【解決手段】裏面側に位置する器具箱体６の上面開口を覆う天板１と、天板上に臨まして器具箱体内に設けたコンロバーナ２と、コンロバーナの外周に位置させて天板上に配設した汁受け皿３と、汁受け皿の内周縁とコンロバーナの外周との間の空隙３ａを覆うバーナリング４とを備え、バーナリングはその外周壁面部にガス燃焼用の空気が流入する複数個の開口部４ａと、外周壁面部に下方へ連なり、煮こぼれ液を汁受け皿に案内するフランジ４ｈとを設けたものである。【選択図】  図３
2005024185.tif 000002
【特許請求の範囲】
【請求項１】
裏面側に位置する器具箱体の上面開口を覆う天板と、前記天板上に臨まして前記器具箱体内に設けたコンロバーナと、前記コンロバーナの外周に位置させて前記天板上に配設した汁受け皿と、前記汁受け皿の内周縁と前記コンロバーナの外周との間の空隙を覆うバーナリングとを備え、前記バーナリングはその外周壁面部にガス燃焼用の空気が流入する複数個の開口部と、前記外周壁面部に下方へ連なり、煮こぼれ液を前記汁受け皿に案内するフランジとを設けた嵌め込み式ガス調理器。
【請求項２】
裏面側に位置する器具箱体の上面開口を覆う天板と、前記天板上に臨まして前記器具箱体内に設けたコンロバーナと、前記コンロバーナの外周に位置させて前記天板上に配設した汁受け皿と、前記汁受け皿の内周縁と前記コンロバーナの外周との間の空隙を覆うバーナリングとを備え、前記バーナリングは上部リングと下部リングと前記両方のリングを連結する複数の支柱とで形成し、前記両方のリング間にガス燃焼用の空気が流入する全周開口部と、前記下部リングに下方へ連なり、煮こぼれ液を前記汁受け皿に案内するフランジとを設けた嵌め込み式ガス調理器。
【請求項３】
汁受け皿は内径を、バーナリングの外径より小さくし、かつ汁受け皿の内径面の高さを汁受け皿の外径面の高さより高く設定した請求項１または２に記載の嵌め込み式ガス調理器。
【発明の詳細な説明】
【０００１】
【発明の属する技術分野】
本発明は、ガス置き台に嵌め込んで使用するガス等を燃料とする嵌め込み式ガス調理器に関し、特にコンロバーナへの燃焼用空気の供給と煮こぼれ防止の構造に係るものである。
【０００２】
【従来の技術】
従来この種の嵌め込み式ガス調理器は、図９の平面図、図１０の正面図に示すようにガス置き台７に天板１の外周を載せ、かつ器具箱体６がガス置き台７内に嵌め込まれて設置されている。そして、ガス調理器の燃焼に必要な空気の供給は、図１１および図１２に示すように天板１の裏面に取り付け、バーナヘッド９、ガスを噴出するノズル１０等を内蔵した器具箱体６の底面部６ａおよび側面部６ｂに設けた空気孔１５を通じて供給される構造になっている。
【０００３】
また、汁受け皿３は内周縁をバーナヘッド９の外周に接し、外周縁を天板１に接して設け、さらにバーナキャップ５の外周に設けたバーナリング４が汁受け皿３上に臨まして器具箱体６の内部とバーナキャップ５外側とは仕切られた構造になっている（例えば、特許文献１参照）。
【０００４】
そして、コックツマミ１１ａによりガスコック本体１１が開かれてバーナヘッド９にノズル１０からガスが供給されると、エゼクター作用によりノズル１０付近の空気がガスの流れ方向に沿って、同時にバーナヘッド９内に吸引され、ガスと空気が混合される。そして、バーナキャップ５に達して噴出した混合気に点火されると燃焼を継続し、燃焼に必要な新鮮空気１２は、器具箱体６に設けられた空気孔１５から流入給気されて完全燃焼が継続するというものであった。
【０００５】
従って、従来のこの種の嵌め込み式ガス調理器では、バーナキャップ５から噴出したガスが完全燃焼を行うために必要な空気を器具箱体６内に導くため、器具の設置時に図１０に示すようにガス置き台７に器具箱体６の空気孔１５に通じてガス置き台７の外側から取り入れる空気孔８を設ける必要があり、器具メーカーの取扱説明書、工事説明書に空気とり入れ用の孔の工事を行うように記載している。
【０００６】
しかしながら、この空気孔をあける工事が行われないまま、ガス調理器を使用される場合が少なくなかった。そのため、空気不足により不完全燃焼が起こったり、器具箱体６の内部にもぐりこむように炎が形成されて器具本体の温度が異常に高くなるという問題があった。
【０００７】
【特許文献１】
特開２００２−２００９８３号公報（第１１−１１頁、第１４図）
【０００８】
【発明が解決しようとする課題】
上記従来の技術の問題点に鑑み、本発明が解決しようとする課題は、不完全燃焼にならないように燃焼用空気を供給可能であって、かつ設置と掃除のしやすい嵌め込み式ガス調理器を提供することにある。
【０００９】
【課題を解決するための手段】
上記課題を解決するために本発明は、汁受け皿の内周縁とコンロバーナの外周との間の空隙を覆うバーナリングの外周壁面部に、ガス燃焼用の空気が流入する複数個の開口部を設けるとともに、前記外周壁面部に下方へ連なり、煮こぼれ液を前記汁受け皿に案内するフランジを設けたものである。
【００１０】
これによれば、燃焼に必要な空気はバーナリングの外周壁面部の開口部より供給されるので、ガス調理器を設置するガス置き台、流し台等に完全燃焼を行うための必要な空気を庫外側から庫内に取り入れる空気孔を設ける必要がなくなり、設置工事が簡単にでき、かつそれでありながら、良好な燃焼状態を継続できる。また、調理中の煮こぼれ液がバーナリングの外周壁面部のフランジを伝ってコンロバーナ外に排出され、器具箱体の内部に侵入することを防止できる。
【００１１】
【発明の実施の形態】
上記した本発明の課題は、各請求項に記載した構成を実施の形態とすることにより達成できるので、以下には各請求項の構成にその構成による作用効果を併記し併せて請求項記載のうち説明を必要とする特定用語については詳細な説明を加えて、本発明における実施の形態の説明とする。
【００１２】
請求項１記載の発明は、裏面側に位置する器具箱体の上面開口を覆う天板と、前記天板上に臨まして前記器具箱体内に設けたコンロバーナと、前記コンロバーナの外周に位置させて前記天板上に配設した汁受け皿と、前記汁受け皿の内周縁と前記コンロバーナとの間の空隙を覆うバーナリングとを備え、前記バーナリングはその外周壁面部にガス燃焼用の空気が流入する複数個の開口部と、前記外周壁面部に下方へ連なり、煮こぼれ液を前記汁受け皿に案内するフランジとを設けたものである。
【００１３】
上記構成により、バーナリングの外周壁面部の開口部より天板上の空気が流入してコンロバーナの燃焼用に使用されるとともに、調理中の煮こぼれ液がバーナリングの上面に落ちた後、外周壁面部のフランジを伝って汁受け皿に案内される。
【００１４】
従って、嵌め込み式ガス調理器では、嵌めこんで設置する部材であるガス置き台、流し台等に完全燃焼を行うために必要な空気を、ガス置き台、流し台等の外側から取り入れる空気孔を設ける必要がないため、器具設置業者は空気孔をあける工事を行う必要がなくなり、従来例で説明したように燃焼用空気孔を、ガス置き台、流し台等に設けないままガス調理器を使用されても、空気不足による不完全燃焼の心配がなく、器具本体の温度も異常に高くなるということもないため、工事性の優れた嵌め込み式ガス調理器を実現できる。また、フランジより内側に煮こぼれ液が伝わって器具箱体内に滴下してしまうことがなく、掃除性に優れた嵌め込み式ガス調理器が実現できる。
【００１５】
また、近年増加しつつある天板の材質がガラスの場合、燃焼に必要な空気が天板の表面上を流れて器具箱体内に流入するため、コンロバーナの燃焼によるガラスの温度の上昇も抑制することができ、温度上昇によるガラスの割れを防止することができる。
【００１６】
請求項２記載の発明は、裏面側に位置する器具箱体の上面開口を覆う天板と、前記天板上に臨まして前記器具箱体内に設けたコンロバーナと、前記コンロバーナの外周に位置させて前記天板上に配設した汁受け皿と、前記汁受け皿の内周縁と前記コンロバーナの外周との間の空隙を覆うバーナリングとを備え、前記バーナリングは上部リングと下部リングと前記両方のリングを連結する複数の支柱とで形成し、前記両方のリング間にガス燃焼用の空気が流入する全周開口部と、前記下部リングに下方へ連なり、煮こぼれ液を前記汁受け皿に案内するフランジとを設けたものである。
【００１７】
上記構成により、バーナリングの全周開口部より天板上の空気が流入してコンロバーナの燃焼用に使用されるとともに、調理中の煮こぼれ液がバーナリングの上部リングの上面に落ちた後、流れて下部リングのフランジを伝って汁受け皿に案内される。従って、請求項１記載の構成と同様の効果が得られるとともに、さらにバーナリングの全周開口部の広い開口面積から燃焼に必要な空気が得られ、燃焼用空気を十分に供給することができる。
【００１８】
請求項３記載の発明は、請求項１または２記載の汁受け皿の内径をバーナリングの外径より小さくすることにより、バーナリングのフランジから滴下した煮こぼれ液が器具箱体に浸入することなく、汁受け皿に溜めることができる。また、汁受け皿の内径面の高さを汁受け皿の外径面の高さより高くすることにより、さらに汁受け皿から溢れた煮こぼれ液は器具箱体に浸入することなく、汁受け皿の外径面に概等しい天板に溜めることができるため掃除の手間がかからない。
【００１９】
【実施例】
以下、本発明の実施例について図面を用いて説明する。
【００２０】
（実施例１）
図１は、本発明の実施例１における嵌め込み式ガス調理器の平面図で、図２は、嵌め込み式ガス調理器をガス置き台等に嵌めこんだ状態を示す正面図で、図３は、同ガス調理器のコンロバーナとバーナリングと汁受け皿の構成断面図、図４は、図３の要部の拡大構成断面図で、図５は同ガス調理器のバーナリングの側面図である。
【００２１】
図１において、嵌め込み式ガス調理器は、天板１と、その上面に臨むコンロバーナ２のバーナリング４と、バーナリング４を外周に配置したコンロバーナ２のバーナキャップ５と、バーナリング４の外周に位置して天板１上に載置された汁受け皿３とを備え、かつコックツマミ１１ａが天板１上に位置する。
【００２２】
そして、ガス調理器は、コックツマミ１１ａと汁受け皿３、バーナリング４、バーナキャップ５等の下方に位置するガス調理器の本体部を収納する器具箱体６を、図２に示すように天板１の裏面に設けており、ガス調理器の取り付け部材であるガス置き台７の上面に形成した開口部に器具箱体６を落とし込んで嵌め込み、かつ天板１の外周縁をガス置き台７の上面に載置している。一般的にガス置き台７は前面に扉を有し、周囲はほぼ密閉された空間の箱状に製作されている。
【００２３】
図３および図４において、コンロバーナ２は、上面に多数の燃焼用炎孔５ａを有したバーナキャップ５と、バーナキャップ５が上方から閉蓋され、中央に燃焼用二次空気を導入する中央開口部９ａを有し、ガスおよび空気を混合するバーナヘッド９と、バーナヘッド９内にガスを噴出するノズル１０と、ガスコック本体１１とを有し、これらは器具箱体６内に収納されている。
【００２４】
天板１に外周縁を載せた汁受け皿３は、バーナヘッド９の外周との間に、燃焼用二次空気を導入するために環状の空隙３ａを形成している。環状のバーナリング４は、内周縁をバーナキャップ５の外周面に接して設け、外周部で汁受け皿３の内周縁とバーナヘッド９の外周との間の空隙３ａを覆っている。
【００２５】
そして、バーナリング４は外周壁面部４ｇを、下になるほど外側へ傾斜させた外傾斜面に形成し、この外周壁面部４ｇに円形状の開口部４ａを全周に複数個配列し、さらに外周壁面部４ｇの下縁全周には下方に連なり、調理中に生じた煮こぼれ液を汁受け皿３に案内するフランジ４ｈを設けている（図５）。
【００２６】
なお、器具箱体６は図１２に示す従来の嵌め込み式ガス調理器のように器具箱体６の底面部６ａおよび側面部６ｂに、燃焼に必要な空気を供給する空気孔１５を設けていない。図中、１７は鍋１８を載せる五徳である。
【００２７】
次に上記実施例における動作、作用について説明すると、図３においてコックツマミ１１ａによりガスコック本体１１を開くと、ノズル１０から噴出されたガスは、器具箱体６内にある空気を一次空気１３として、ともにバーナヘッド９の内部へ流入させ、バーナキャップ５からガスと空気の混合気として噴出され点火源により点火された後、燃焼が継続する。
【００２８】
そして、燃焼には燃料と空気が必要であり、燃焼に必要な新鮮空気１２は、矢印で示すように天板１の上面に沿ってコンロバーナ２に向かって流れ、バーナリング４の外周壁面部４ｇの開口部４ａと、バーナリング４と汁受け皿３の間、そして汁受け皿３のバーナヘッド９との空隙３ａを通って器具箱体６内へ供給される。
【００２９】
流入した新鮮空気１２はノズル１０から噴出されるガスとともに一次空気１３としてバーナヘッド９に入るものと、バーナキャップ５の燃焼により発生する上昇気流によって、バーナキャップ５の中央に位置する中央開口部９ａから燃焼用二次空気１４として分流される。このような状態が継続して安定した良好な燃焼をコンロバーナ２が確保する。
【００３０】
また、調理中に鍋１８から溢れた煮こぼれ液１６は、バーナリング４の上面４ｉに落ちた後、外周壁面部４ｇを伝わり、さらに煮こぼれ液１６はフランジ４ｈの下方に伝った後、フランジ４ｈの下端部から汁受け皿３上に滴下する。
【００３１】
以上のように本実施例は、バーナリングの外周壁面部に開口部を設けて燃焼に必要な空気を供給できるため、器具箱体の底面、側面に空気孔を設ける必要がなく、さらにガス置き台、流し台等の庫内側に完全燃焼を行うための必要な空気を庫外側から取り入れるための空気孔をあける必要もないので、空気孔をあける工事が不要でありながら、良好な燃焼状態を継続できる。
【００３２】
また、鍋から溢れた煮こぼれ液は、バーナリングの外周壁面部のフランジの下端部から汁受け皿に滴下するので、バーナリングの裏面を伝って器具箱体内に侵入することがないため、掃除性の良い嵌め込み式ガス調理器を提供することができる。
【００３３】
また、燃焼に必要な新鮮空気は、天板の上面に沿ってコンロバーナに向かって流れ込み、バーナリングの外周壁面部の開口部と、バーナリングと汁受け皿の間および汁受け皿のコンロバーナとの間の空隙を通って器具箱体内へ供給されるため、天板の温度上昇を抑えることができる。特に天板の材質が掃除性のよいガラス製の場合、ガラスの温度を下げるため、ガラス割れの心配の無い、さらに安全な嵌め込み式ガス調理器を提供することができる。
【００３４】
（実施例２）
図６は、本発明の実施例２における嵌め込み式ガス調理器の構成断面図で、図７（ａ）、（ｂ）、（ｃ）は、同ガス調理器のバーナリング４の縦断面図、正面図および裏面図である。本実施例は、バーナリングの構成が実施例１の発明と異なり、それ以外の同一構成並びに作用効果を奏するところには同一符号を付して詳細な説明を省略し、異なるところを中心に説明する。
【００３５】
図６において、バーナリング４はその外周壁面部４ｇに全周にわたり、切削加工された全周開口部４ｂを備えている。また、この全周開口部４ｂを形成する上部リング４ｄと下部リング４ｅは複数の支柱４ｃで連結されている。下部リング４ｅの全周には煮こぼれ液を汁受け皿３上に案内するフランジ４ｈが下方に連なっている。
【００３６】
次に上記実施例における動作、作用について説明すると、コンロバーナ２が燃焼して図６のように燃焼に必要な新鮮空気１２は、矢印で示すように全周開口部４ｂと、下部リング４ｅと汁受け皿３との間、汁受け皿３のバーナヘッド９との間の空隙３ａから流入する。そして、全周開口部４ｂは上部リング４ｄと下部リング４ｅの間の全てに形成できるので、吸気面積を実施例１の複数個の開口部より大きくとれる。従って、コンロバーナ２の燃焼に必要な空気は、十分に供給することができる。
【００３７】
以上のように本実施例は、実施例１と同様の効果を得られるとともに、バーナリングの外周壁面部の全周に開口部を形成しているため、良好燃焼に必要な空気を取り入れる面積が広く、十分な空気を取り入れることができる。
【００３８】
なお、上記実施例におけるバーナリング４は、下部リング４ｅと全周開口部４ｂをコンロバーナ２の構成や必要な燃焼用２次空気によっては、複数個形成し、下方に重ねる構成にしてもよいものである。
【００３９】
（実施例３）
図８は、本発明の実施例３における嵌め込み式ガス調理器の構成断面図である。本実施例は、汁受け皿の構成が実施例２の発明と異なり、それ以外の同一構成並びに作用効果を奏するところには同一符号を付して詳細な説明を省略し、異なるところを中心に説明する。
【００４０】
図８において、実施例２と異なる点は、汁受け皿３の内径をバーナリング４の外径より小さくし、かつ汁受け皿３の内径面３ｃの高さを汁受け皿３の外径面３ｂの高さより高くしたことである。これにより、バーナリング４のフランジ４ｈから滴下した煮こぼれ液１６を汁受け皿３に溜めた後、さらに煮こぼれ液１６が滴下した場合、汁受け皿３から溢れた煮こぼれ液１６を器具箱体６に浸入させることなく、汁受け皿３の外径面３ｂに概等しい高さの天板１上に溜めることができる。
【００４１】
つまり、煮こぼれ液１６が汁受皿３のバーナヘッド９との間の空隙３ａを通って、器具箱体６内（図示せず）に侵入するのを防いでいる。従って、使用者は器具箱体内を掃除する手間がかからない。
【００４２】
以上のように本実施例は、実施例１および２の効果に加え、さらに汁受け皿の内径はバーナリングの外径より小さく、かつ汁受け皿の内径面の高さを汁受け皿の外径面の高さより高く設定しているため、汁受け皿から溢れた煮こぼれ液を器具箱体内に浸入させることなく天板上に溜めることができ、掃除性のさらに良い嵌め込み式ガス調理器を提供することができる。
【００４３】
【発明の効果】
以上のように、本発明の嵌め込み式ガス調理器によれば、燃焼用空気を確実に供給できて安定した燃焼をさせることができるとともに、設置工事と煮こぼれ掃除のしやすいものにできる。
【図面の簡単な説明】
【図１】本発明の実施例１における嵌め込み式ガス調理器の平面図
【図２】同ガス調理器をガス置き台に嵌めこんだ状態を示す正面図
【図３】同ガス調理器におけるコンロバーナとバーナリングと汁受け皿の構成断面図
【図４】同ガス調理器におけるコンロバーナとバーナリングと汁受け皿の要部の拡大構成断面図
【図５】同ガス調理器におけるバーナリングの側面図
【図６】本発明の実施例２における嵌め込み式ガス調理器の要部構成断面図
【図７】（ａ）同ガス調理器におけるバーナリングの縦断面図
（ｂ）同ガス調理器におけるバーナリングの正面図
（ｃ）同ガス調理器におけるバーナリングの裏面図
【図８】本発明の実施例３における嵌め込み式ガス調理器の要部構成断面図
【図９】従来の嵌め込み式ガス調理器の平面図
【図１０】同ガス調理器をガス置き台に嵌めこんだ状態を示す正面図
【図１１】同ガス調理器におけるコンロバーナと汁受け皿とバーナリングの構成断面図と空気の流れ図
【図１２】同ガス調理器の器具箱体の側面に関連づけた平面図
【符号の説明】
１  天板
２  コンロバーナ
３  汁受け皿
３ａ  空隙
３ｂ  外径面
３ｃ  内径面
４  バーナリング
４ａ  開口部
４ｂ  全周開口部
４ｃ  支柱
４ｄ  上部リング
４ｅ  下部リング
４ｇ  外周壁面部
４ｈ  フランジ
６  器具箱体
１６  煮こぼれ液
【図１】
2005024185.tif 000003
【図２】
2005024185.tif 000004
【図３】
2005024185.tif 000005
【図４】
2005024185.tif 000006
【図５】
2005024185.tif 000007
【図６】
2005024185.tif 000008
【図７】
2005024185.tif 000009
【図８】
2005024185.tif 000010
【図９】
2005024185.tif 000011
【図１０】
2005024185.tif 000012
【図１１】
2005024185.tif 000013
【図１２】
2005024185.tif 000014